(57)【要約】【課題】４方口の管継手において、２つの独立した入口出口を有する流路を形成した４方口の管継手を提供し、給水管と給水栓の間に介装して接続されるアダプタとして、浄活水器との迂回流路を形成することのできる２流体独立流動型４方口管継手を提供する。【解決手段】  ４つの流通口を有する管継手であって、管継手本体の長手方向同軸線上に対向して開口する流路を形成した各流路部を有し、管継手本体内に両流路部の間を仕切る仕切壁を備え、管継手本体の一側面に沿って、一方の流路部と直交する方向の流路を仕切壁の一方の流路部側に形成した流路部を突設すると共に、他方の流路部と直交する方向の流路を仕切壁の他方の流路部側に形成した流路部を突設し、長手方向同軸線上の端部流路部にはねじ接続部を備えていることを特徴とする２流体独立流動型４方口管継手。【選択図】  図１
0003108680.tif 000002
【実用新案登録請求の範囲】
【請求項１】
４つの流通口を有する管継手であって、管継手本体の長手方向同軸線上に対向して開口する流路を形成した各流路部を有し、管継手本体内に両流路部の間を仕切る仕切壁を備え、
管継手本体の一側面に沿って、一方の流路部と直交する方向の流路部を仕切壁の一方の流路部側に位置して突設すると共に、他方の流路部と直交する方向の流路部を仕切壁の他方の流路部側に位置して突設し、長手方向同軸線上の端部流路部にはねじ接続部を備えていることを特徴とする２流体独立流動型４方口管継手。
【考案の詳細な説明】
【技術分野】
【０００１】
本願考案は、４つの流通口を有する管継手に関し、２つの独立した流動系を形成することのできる管継手に関するものである。本願考案は、一つの管路系において、流体を別途迂回する流路系に接続するための補助器具としての管継手に関し、一本の給水管と先端の給水栓の間に介在させて迂回流路系を創成し、迂回路に接続される浄活水器を通して給水するため迂回路分岐アダプタ用２流体独立流動型４方口管継手とすることもできる。
【背景技術】
【０００２】
先行の４方口の分岐管継手において、図４（ａ）（ｂ）に示すように、クロス状の通路の端部にそれぞれ通口が形成された十字型管継手が存在するが一つの入口から複数の出口へ分流するための分岐管としての管継手である。また、排水配管用の合流継手として、一端流入側受口と他端流出側受口を備えた筒状の継手本体の側壁から複数の分岐部を形成した排水用管継手が存在する。しかし、この場合、多数の分岐部から継手本体内に合流する流路が形成されるものである。そして、これらの分岐管継手は、壁に沿って立設された給水管と給水栓の間に継手管を介在させて、浄活水器により浄化し、活水化した給水を供給すため、浄活水器への迂回路を形成するためには不向きであった。
このため、給水管と給水栓の間に介在させる継手管にあって、浄活水器により浄化し、活水化した給水を供給可能にする迂回路を形成するため、給水管に接続する流入口と迂回路への供給口、および迂回路からの戻り口と給水栓への流出口を備え、流入口から供給口への流路と戻り口から流出口への流路を独立した流路として形成する管継手の開発が望まれていた。
【０００３】
一方、先行の浄活水器において、給水管から浄活水器を迂回して、浄活水の供給を得るため、浄活水器の流入管、流出管に接続するアダプタは家庭用の給水弁の先端に取り付けるものであった。この場合、アダプタは給水栓の下向き放出口を有する蛇口の下方先端に取り付ける構造をとるため、限られた流し台の空間を利用する上で、作業空間を制限し、またアダプタを取付ける上で安定性に問題を残していた。
図５は  先行の浄活水器と給水弁の接続構造の概要を示す概要図である。図５において、給水管10と一体に接続され、支持金具12を介して壁Ｗに支持されたソケット11に、給水栓20が接続されている。台所の適宜の位置に浄活水器Ｓが設置される。この場合、給水栓の端部から、浄活水器Ｓを通過させて浄活水を供給するため、浄活水器Ｓは給水栓20とアダプタＨを介してゴムホース等の接続管により迂回路が形成される。すなわち、この迂回路は浄活水器Ｓの浄活水器本体入口Ｓｉ、浄活水器本体出口Ｓｏを、それぞれゴムホース等の接続管により、アダプタＨの供給口Ｈｉ、戻り口Ｈｏに接続することによって、供給ラインＬｉ、戻りラインＬｏが形成される。
この場合、アダプタは給水栓20の下向き放出口を有する蛇口の下方先端に取り付ける構造となっていることから、流し台のシンクとの作業空間が狭められ、また、これに付随してアダプタに接続される供給ラインＬｉ、戻りラインＬｏのゴムホース等の配管が必然的に台所作業空間の近傍に配置されるため、台所での作業に障害になるなど作業性を損なう虞があった。このように、迂回路に設置される浄活水器は、そのゴムホース等の配管を含めての棚、シンク上への配設を余儀なくされることから、台所での自由な作業空間を制約するため、浄活水器を設置した場合でも、作業性、使い勝手が制約されず、使い勝手のよい設置場所、十分な台所作業場所を確保することのできるようにしたいとの観点から、かかる問題の解決が望まれていた。
また、これまでの迂回路を構成するための構造は、種々の管継手や流路切替弁を用いて組立てられるため、配管機構が複雑であって組み立てに熟練を要し、素人では簡単に組立てることができず、そのため高価なものであった。
【特許文献１】特開平06-331085号公報
【特許文献２】特開2003−105846号公報
【特許文献１】特開平08−199640号公報
【考案の開示】
【考案が解決しようとする課題】
【０００４】
本願考案は、上記の事情に鑑みて考案されたものであって、４方口の管継手において、２つの独立した入口出口を有する流路を形成した４方口の管継手を提供することであり、
給水管と給水栓の間に介装して接続されるアダプタとして、浄活水器との迂回流路を形成することのできる４方口の管継手としても提供することを可能にすることである。本願考案によれば、浄活水器との迂回流路を形成するアダプタを、給水栓の蛇口下方先端に取り付けることを回避し、給水栓と給水栓の手前の給水管との間に接続可能としたアダプタであって、この接続位置において、浄活水器との迂回流路を形成することのできる構造としたことによって、流し台のシンクにおいて、アダプタや浄活水器に接続される供給ラインｌｉ、戻りラインｌｏの配管を、給水栓の近傍から離れた位置に設置、配管することができるため、給水栓の近傍における台所作業が、それらのアダプタ、浄活水器及び供給ラインｌｓ、戻りラインｌｒの配管によって邪魔されることがなく、十分な作業空間を確保することができ、逆に言えば、台所作業を邪魔しない流し台の空間に浄活水器を設置することができるので、使い勝手の良い台所を確保できるようにすることが可能である。
【課題を解決するための手段】
【０００５】
本願考案は、上記の課題を解決するものとして、４つの流通口を有する管継手であって、管継手本体の長手方向同軸線上に対向して開口する流路を形成した各流路部を有し、管継手本体内に両流路部の間を仕切る仕切壁を備え、管継手本体の一側面に沿って、一方の流路部と直交する方向の流路を仕切壁の一方の流路部側に形成した流路部を突設すると共に、他方の流路部と直交する方向の流路を仕切壁の他方の流路部側に形成した流路部を突設し、長手方向同軸線上の端部流路部にはねじ接続部を備えていることを特徴とする２流体独立流動型４方口管継手を提供する。
【０００６】
本願考案によれば、４つの開口を有する管継手本体であって、４つの開口はそれぞれ元栓の給水管に接続する流入口と迂回路への供給口、および迂回路からの戻り口と給水栓への流出口であり、管継手本体内に仕切壁を形成して、流入口から迂回路への供給口へ通じる流路と、迂回路の戻り口から給水栓への流出口に通じる流路とを仕切って独立した個別の流れを形成したことを特徴とする迂回路分岐アダプタ用２流体独立流動型４方口管継手を提供することができ、上記において、さらに、長手方向同軸線上の端部流路部又は流入口及び流出口にねじ接続部を形成し、該ねじ接続部を内ねじソケット又は外ねじになる対称形としたり、内ねじソケットと外ねじの組合せとしたりした２流体独立流動型４方口管継手を提供することもできる。
【考案の効果】
【０００７】
本願考案によれば、管継手本体の長手方向同軸線上に対向して開口する流路を形成した各流路部を有し、管継手本体内に両流路部の間を仕切る仕切壁を備えることによって、両流路部を分割し、管継手本体の一側面に沿って、一方の流路部と直交する方向の流路を仕切壁の一方の流路部側に形成した流路部を突設すると共に、他方の流路部と直交する方向の流路を仕切壁の他方の流路部側に形成した流路部を突設し、仕切壁の一方の方向で管継手本体の長手方向同軸線上に対向して開口する一方の流路とこの一方の流路部と直交する方向に前記仕切壁の一方の流路部側で突設した流路部の流路を一つの流通路となし、仕切壁の他方の方向で管継手本体の長手方向同軸線上に対向して開口する流路とこの他方の流路部と直交する方向に前記仕切壁の他方の流路部側で突設した流路部の流路を他の一つの流通路となすことによって、夫々の流通路を独立した流路となす４方口管継手を得ることができる。
本願考案の４方口管継手によれば、構造が簡単であり製作が容易であり、安価に提供できる。特に端部流路部に備えるねじ接続部を内ねじソケット又は外ねじになる対称形とする場合には、一層製造が簡単になる。
【０００８】
本願考案の４方口管継手は上記したように、夫々の流通路を独立した流路となすので、壁から突出する給水管と給水栓の間に迂回路分岐用アダプタを介在させることによって、浄活水器の接続に活用することができる。この場合には、壁から突出する給水管と給水栓の間に迂回路分岐用アダプタを介在させるので、迂回路分岐配管系を形成する据付け作業が容易に行うことができ、しかも給水栓下方部の空間を制約することもなく、従前どおりの台所作業空間を確保することができる。
本願考案によれば、給水栓の手前の壁から突出する給水管に迂回路分岐用アダプタを接続し、言い換えれば壁から突出する給水管と給水栓の間に迂回路分岐用アダプタを介在させるので、迂回路分岐配管系を形成する作業が容易に行うことができる。また、給水栓下方部の空間が従前どおり確保できるので、台所作業を制限することのない浄活水器の設置が可能となる。
【０００９】
浄活水器の台所への設置においても、迂回流路を形成するアダプタは給水栓の前段の配管、壁から突出する給水管に取り付けられるので、給水栓の蛇口下方先端の空間を邪魔する器具を設置することがないので、給水栓の蛇口下方先端の空間を狭める要素が存在することはなく、十分な作業空間を確保することができる。実際、迂回路分岐用アダプタや供給ラインＬｉ、戻りラインＬｏの配管の設置は、台所の壁側に沿った位置に容易に設置でき、この迂回路分岐用アダプタの設置によって、給水栓の蛇口下を含む作業空間を邪魔することがなく、浄活水器を設置することができるので、従来どおりの使い勝手の良い台所の十分な作業空間の確保に寄与することができる。
供給管と給水弁の間に介装される迂回路分岐用アダプタは、その接続ねじ部を、供給管と給水弁のねじ接続部の構造に対応させて、同型のねじ構造とすることができ、その場合には対称形の構造体をなす迂回路分岐用アダプタとして製造することができるので、製作が簡単となり製造コストを低減することができる。
迂回路を構成するための構造は、先行例に示されるような種々の管継手や流路切替弁を用いることもなく、単一の迂回路分岐用アダプタのみを接続することによって、内部に仕切壁を備えた単純な迂回路分岐用アダプタ構造であるので、供給管と給水弁の間に簡単に捩じ込みによって介装すれば組み立てを完成することができる、したがって、熟練を要することなく、素人でも簡単に組立てることができ、廉価に提供することができる。
【考案を実施するための最良の形態】
【００１０】
２流体独立流動型４方口管継手又は迂回路分岐アダプタ用２流体独立流動型４方口管継手は、管継手本体の長手方向同軸線上に対向して開口する流路を形成した各流路部の接続構造として、内ねじソケット、外ねじを有し、中間に仕切壁を有し、供給口と戻り口を迂回路分岐用アダプタ本体の一側面側に配し、中間に仕切壁に対して対称形をなす構造とすることができる。
もちろん、間に迂回路分岐用アダプタを介装する供給管と給水弁の取り付けねじ構造に合せて、迂回路分岐用アダプタの両端のねじ部の構造を、内ねじと外ねじの組合せとすることができる。
【００１１】
迂回路分岐用アダプタの供給口と戻り口に対する接続は、浄活水器に対して実施される。
この場合、供給口と戻り口はゴム管の装着が簡単にできるように多段の山形形状の外形を有することができる。
さらに、ユニオンナットを一体に組み合わせ、ユニオンナットにより螺合して組み立て一体化することもできる。
２流体独立流動型４方口管継手は迂回路分岐アダプタ用２流体独立流動型４方口管継手としても利用可能であり、それら管継手の製作に当っては、金属又は合成樹脂によって一体成形し、必要なねじ加工を施すことにより、容易に製作することができる。
中央の仕切壁の外周に溝を形成した構造をとる場合には、仕切壁を外周溝に沿って破断除去することにより通常の分岐管として利用することもできる。
【実施例１】
【００１２】
図１は、本願考案に係る２流体独立流動型４方口管継手Ｊを示す。２流体独立流動型４方口管継手Ｊの管継手本体の長手方向同軸線上に対向して開口する流路を形成した各流路部1、2を有し、管継手本体内の流路部１，２の間に、両流路部１，２の流路を仕切る仕切壁５を備えている。そして、管継手本体の一側面に沿って、一方の流路部１と直交する方向の流路が、仕切壁５の一方の流路部１側に突設した流路部３により形成され、また、他方の流路部２と直交する方向の流路が、仕切壁５の他方の流路部２側に突設した流路部４により形成されている。長手方向同軸線上の流路部１，２の端部にはねじ接続部１ａ，２ａを備えている。
本願考案に係る２流体独立流動型４方口管継手Ｊは、管継手本体内の流路部１とこれに直交する流路部３により一つの流路Ｆ１が形成され、また、管継手本体内の流路部２とこれに直交する流路部４により他の一つの流路Ｆ２が形成され、流路Ｆ１とＦ２は互いに独立した流路を構成している。
【００１３】
図１において、ねじ接続部は、外ねじ１ａと内ねじソケット２ａの組合せとして示される。これらのねじ接続部１ａ，２ａは、図３に示すように、両者とも、内ねじソケット状のねじ接続部を形成するものとしたり、また両者とも外ねじとしたりするなど、任意のねじ接続構造を採用することができる。
（作用）
【００１４】
流路Ｆ１とＦ２は互いに独立した流路を構成しているので、流路Ｆ１とＦ２の各流路の開口において、一方を入口、他方を出口として任意の流路形態で使用することができる。
【００１５】
図２は、本願考案に係る２流体独立流動型４方口管継手Ｊを、浄活水器接続のための迂回路分岐アダプタ用２流体独立流動型４方口管継手Ｊ１（以下「迂回路分岐アダプタ」と略称する）として使用する場合の配置形態を示す。
迂回路分岐アダプタJ１は、図２に示すように、軸線上の対向位置に流入口31、流出口3２を有し、流入口31のねじ部31ａには外ねじが、流出口32のねじ部32aには内ねじが形成されている。流入口31と流出口32の間に仕切壁35を備える。
迂回路分岐アダプタJ1は、仕切り壁35より流入側の側壁に供給口33が、また仕切り壁35の流出側の側壁に戻り口34がそれぞれ形成され、供給口33と戻り口34は迂回路分岐アダプタＪ１の一方の側面に同一方向に突設される。
図２において、迂回路分岐アダプタJ１は、支持金具12によって壁Ｗに取り付けたソケット11を介して給水管10にその一端の流入口31が螺合接続され、迂回路分岐アダプタJ１の他端の流出口32には給水栓20が螺合接続される。
一方、迂回路分岐アダプタJ１は、浄活水器Sに連結して使用される。実際、迂回路分岐アダプタJ1の側面の供給口33は浄活水器Sの入口Sｉにゴムホース等により連結され供給ラインLｉを構成し、戻り口34は浄活水器Sの出口Sｏにゴムホース等により連結され、戻りラインLｏを構成する。
供給口33と戻り口34の各外面にはゴムホースを装着したときの抜止めをする多段の波型突部が形成されている。
【００１６】
上記の給水管10と給水栓20の間に迂回路分岐アダプタJ１を介装し、迂回路分岐アダプタJ１に浄活水器Ｓを連結した上記の接続状態において、給水栓20を開放すると、給水管10からの給水は、迂回路分岐アダプタJ1の流入口31、供給口33、供給ラインLｉ、浄活水器入口Sｉを経て浄活水器Ｓ内に流入し、浄活水器Ｓ内で給水が浄活水化され、浄活水器出口Ｓｏから戻りラインLｏ、迂回路分岐アダプタJ1の戻り口34、流出口32を経て給水栓20の蛇口から吐出給水される。
給水栓20の開閉によって、常時浄活水器Sにより浄活水化された給水が得られる。
なお、浄活水器Sの濾過材を洗浄するためのいわゆる逆洗をする場合には、供給口33と戻り口34とにおいて、これに連結されている供給ラインLｉ、戻りラインLｏとの接続位置を単純に交換すればよい。この場合には、当所の供給ラインLｉ、戻りラインLｏの流れ方向は逆になる。
供給口3と戻り口4とに連結されている供給ラインLｉ、戻りラインLｏの接続をそのままにして、浄活水器において連結されている入口Sｉと出口Ｓｏを交換しても同様な効果を得ることができる。
【００１７】
台所における浄活水器の設置に利用した場合には、給水栓下の台所作業を邪魔しない空間確保に有益な設置が可能となる。このように、壁から突出する給水管を備え、先端に給水手段を有した空間を有した設備において、給水栓から、給水に常時浄水したり、活性を賦与したり、浄活性化したり、洗浄液を混合したりする他の設備を付設する場合にあって、迂回路分岐用アダプタを設置すれば、これら他の設備の設置空間と水廻り作業空間とを有する設備の場合、十分な作業空間を確保する必要がある場合に、設備設置・作業各空間を合理的に確保することに活用することができる。
【産業上の利用可能性】
【００１８】
給水管と給水栓との間に迂回路を形成して、給水栓から供給される給水に、特殊の物性を賦与したり、特殊の物質を添加したりするために利用することができる。
台所への浄活水器の設置において、給水栓下の台所作業を邪魔しない空間確保に有益な利用可能性を述べてきたが、壁から突出する給水管を備え、先端に給水手段を有した空間を有した設備において、給水栓から、給水に常時浄水したり、活性を賦与したり、浄活性化したり、洗浄液を混合したりする他の設備を付設する場合にあって、これら他の設備の設置空間と水廻り作業空間とを有する設備の場合に、十分な作業空間を確保する必要がある場合に、かかる迂回路分岐アダプタの設置によって、設備設置・作業各空間を合理的に確保することの必要な設備に利用することができる。
【図面の簡単な説明】
【００１９】
【図１】２流体独立流動型４方口管継手の構造を示し、（ａ）は外観図を、（ｂ）は断面図をそれぞれ示す。
【図２】本考案に係る２流体独立流動型４方口管継手の使用例を示し、迂回路分岐用アダプタとしての使用しるときの使用形態を示す図である。
【図３】２流体独立流動型４方口管継手の接続部を両端共内ねじソケットを有する構造としたものを示し、（ａ）は外観図を、（ｂ）は断面図をそれぞれ示す。
【図４】先行技術としての４方口管継手を示す図である。
【図５】先行技術としての迂回路分岐用アダプタを、浄活水器に適用した使用例を示す図である。
【符号の説明】
【００２０】
1  流路部
1ａ  ねじ部
2  流路部
2ａ  ねじ部
3  流路部
4  流路部
5  仕切壁
J  ２流体独立流動型４方口管継手
10  給水管
11  ソケット
12  支持金具
20  給水栓
Ｗ  壁
Ｓ  浄活水器
Ｓｉ  浄活水器本体入口
Ｓｏ  浄活水器本体出口
Ｌｉ  供給ライン
Ｌｏ  戻りライン
3１  流入口
3１ａ  ねじ部
32  流出口
32ａ  ねじ部
33  供給口
34  戻り口
35  仕切壁
J１  迂回路分岐用アダプタ
Ｈ  アダプタ
Ｈｉ  供給口
Ｈｏ  戻り口
【図１】
0003108680.tif 000003
【図２】
0003108680.tif 000004
【図３】
0003108680.tif 000005
【図４】
0003108680.tif 000006
【図５】
0003108680.tif 000007